(57)【特許請求の範囲】
【請求項１】
育苗箱用播種機における育苗箱への土供給装置において、
土供給装置は上部に土供給ホッパーを設け、該土供給ホッパーの下方に土繰出しベルトを設け、該土繰出しベルトは駆動ローラーと従動ローラーとの間に掛け回しされ、前記従動ローラーは従動軸によりフレーム側板に軸支持され、前記従動軸はフレーム側板の長孔に前後移動自在に構成し、前記土繰出しベルトの張り具合を調整するテンション機構を具備し、
前記テンション機構はフレーム側板に設けた支持板部の挿通孔より前後方向側に螺子パイプを突出させ、該螺子パイプ内を前後移動する螺子軸を設け、該螺子軸の端部に前記従動軸の軸受を設けた構成とし、前記螺子パイプを軸心周りに回転することにより、前記螺子軸の螺子と螺子パイプの雌螺子との間で螺子分だけ移動して、前記従動軸の位置の微調整を可能とし、
前記螺子パイプを軸心方向に直交する方向に支持軸を設け、該支持軸の周囲に操作部材を軸受支持し、該操作部材を上下方向に回動することにより、前記螺子パイプと螺子軸が同時に移動されて、前記従動軸の位置を緊張位置と弛緩位置に切替え可能とした
ことを特徴とする育苗箱用播種機の土供給装置。
【請求項２】
請求項１記載の育苗箱用播種機の土供給装置において、
前記螺子パイプを支持板部より後側に突出させた部分に操作部材を設け、該操作部材は螺子パイプの軸心方向と直交する方向に設けた支持軸に支持し、前記操作部材の一端には支持軸を中心に前後方向に回転可能する円弧状部を設け、前記支持軸は前記円弧状部の中心線より前後にずらした位置に配置し、
前記操作部材を支持軸を中心として前後に回動することにより、前記円弧状部の中心位置の前後に前記支持軸の位置が大きく移動され、前記螺子パイプと螺子軸を介して前記繰出しベルトの弛緩状態と緊張状態とを切り替え可能とした
ことを特徴とする育苗箱用播種機の土供給装置。
【請求項３】
請求項１又は請求項２に記載の育苗箱用播種機の土供給装置において、
前記操作部材と螺子パイプと螺子軸により構成した、土繰出しベルトのテンション機構を、育苗箱の供給方向であって、前記土繰出しベルトの左右に配置した
ことを特徴とする育苗箱用播種機の土供給装置。
【請求項４】
請求項１乃至請求項３のいずれか一項に記載の育苗箱用播種機の土供給装置において、
前記フレーム側板に前記従動軸が前後する長孔部を設け、該長孔部の近傍に前記従動軸の位置を示す目盛りを具備した
ことを特徴とする育苗箱用播種機の土供給装置。
【発明の詳細な説明】
【技術分野】
【０００１】
本発明は、育苗箱用播種機における床土供給装置や覆土供給装置に付設する繰出ベルトの微調整と緊張・弛緩の切替機構に関する。
【背景技術】
【０００２】
従来、育苗箱用播種機の土供給装置において、繰出ベルトの調整機構に関する技術は公知となっているのである。例えば、特許文献１に記載の技術の如くである。従来の育苗箱用播種機の土供給装置において、土供給装置の繰出しベルトはテンション機構により、張り具合を調節自在としており、そのテンション機構は、フレーム側板の支持板部に対して螺子軸を設け、該螺子軸にナットを螺合させ、該左右の位置に配置したテンション機構のナットを回転させることにより、従動ローラーの従動軸を繰出しベルトの張力に抗して前後動させ張り具合を調整する機構に構成していた。
【先行技術文献】
【特許文献】
【０００３】
【特許文献１】特開２０１０−１１９３７２号公報
【発明の概要】
【発明が解決しようとする課題】
【０００４】
即ち、特許文献１の特開２０１３−１１６１２８号公報に記載の育苗箱用播種機においては、土供給装置の繰出しベルトの張り具合の調節は可能であったが、繰出しベルトの調節作業を、オペレータが左右のナットの回転によって行わなければならず、その微調整と、緊張弛緩の切替操作が面倒であったのである。
【０００５】
また、ナットによって張り具合を固定する機構のため、繰出しベルトは一旦調整すると、育苗箱への播種時期を外れた非使用時、即ち倉庫における保管時も、土繰出しベルトが緊張された状態のままであり、長時間の間、ベルトの緊張状態を続行することにより、繰出しベルトの耐久性を低下させるという不具合があったのである。また、繰出しベルトのテンション機構は、土繰出しベルトの左右にあり、土繰出しベルトの張り具合は、左右の位置を合わせて調整しなければならず、調整位置を知る目印がなく、位置合わせが面倒であったのである。
【０００６】
従来の技術においては、土繰出しベルトの張り具合の調節は可能であるが、微調整と緊張・弛緩状態の切替が、左右の二個のナットの回転で行わなければならず、面倒であるという課題があった。また、螺子軸を土供給装置の左右に設けられており、調整は左右両方を調節する必要があるが、この左右のテンション機構の調整位置を知る目安がないという課題があった。本発明はこのような不具合を解消せんとするものである。
【課題を解決するための手段】
【０００７】
本発明においては、上記の課題を解決するために、次の如く構成したものである。
【０００８】
請求項１においては、育苗箱用播種機における育苗箱への土供給装置において、土供給装置は上部に土供給ホッパーを設け、該土供給ホッパーの下方に土繰出しベルトを設け、該土繰出しベルトは駆動ローラーと従動ローラーとの間に掛け回しされ、前記従動ローラーは従動軸によりフレーム側板に軸支持され、前記従動軸はフレーム側板の長孔に前後移動自在に構成し、前記土繰出しベルトの張り具合を調整するテンション機構を具備し、前記テンション機構はフレーム側板に設けた支持板部の挿通孔より前後方向側に螺子パイプを突出させ、該螺子パイプ内を前後移動する螺子軸を設け、該螺子軸の端部に前記従動軸の軸受を設けた構成とし、前記螺子パイプを軸心周りに回転することにより、前記螺子軸の螺子と螺子パイプの雌螺子との間で螺子分だけ移動して、前記従動軸の位置の微調整を可能とし、前記螺子パイプを軸心方向に直交する方向に支持軸を設け、該支持軸の周囲に操作部材を軸受支持し、該操作部材を上下方向に回動することにより、前記螺子パイプと螺子軸が同時に移動されて、前記従動軸の位置を緊張位置と弛緩位置に切替え可能としたものである。
【０００９】
請求項２においては、請求項１記載の育苗箱用播種機の土供給装置において、前記螺子パイプを支持板部より後側に突出させた部分に操作部材を設け、該操作部材は螺子パイプの軸心方向と直交する方向に設けた支持軸に支持し、前記操作部材の一端には支持軸を中心に前後方向に回転可能する円弧状部を設け、前記支持軸は前記円弧状部の中心線より前後にずらした位置に配置し、前記操作部材を支持軸を中心として前後に回動することにより、前記円弧状部の中心位置の前後に前記支持軸の位置が大きく移動され、前記螺子パイプと螺子軸を介して前記繰出しベルトの弛緩状態と緊張状態とを切り替え可能としたものである。
【００１０】
請求項３においては、請求項１又は請求項２に記載の育苗箱用播種機の土供給装置において、前記操作部材と螺子パイプと螺子軸により構成した、土繰出しベルトのテンション機構を、育苗箱の供給方向であって、前記土繰出しベルトの左右に配置したものである。
【００１１】
請求項４においては、請求項１乃至請求項３のいずれか一項に記載の育苗箱用播種機の土供給装置において、前記フレーム側板に前記従動軸が前後する長孔部を設け、該長孔部の近傍に前記従動軸の位置を示す目盛りを具備したものである。
【発明の効果】
【００１２】
本発明の効果として、以下に示すような効果を奏する。
【００１３】
請求項１の如く、育苗箱用播種機における育苗箱への土供給装置において、土供給装置は上部に土供給ホッパーを設け、該土供給ホッパーの下方に土繰出しベルトを設け、該土繰出しベルトは駆動ローラーと従動ローラーとの間に掛け回しされ、前記従動ローラーは従動軸によりフレーム側板に軸支持され、前記従動軸はフレーム側板の長孔に前後移動自在に構成し、前記土繰出しベルトの張り具合を調整するテンション機構を具備し、前記テンション機構はフレーム側板に設けた支持板部の挿通孔より前後方向側に螺子パイプを突出させ、該螺子パイプ内を前後移動する螺子軸を設け、該螺子軸の端部に前記従動軸の軸受を設けた構成とし、前記螺子パイプを軸心周りに回転することにより、前記螺子軸の螺子と螺子パイプの雌螺子との間で螺子分だけ移動して、前記従動軸の位置の微調整を可能とし、前記螺子パイプを軸心方向に直交する方向に支持軸を設け、該支持軸の周囲に操作部材を軸受支持し、該操作部材を上下方向に回動することにより、前記螺子パイプと螺子軸が同時に移動されて、前記従動軸の位置を緊張位置と弛緩位置に切替え可能としたので、螺子パイプと螺子軸が同時に移動されて、従動軸の位置を、緊張位置と弛緩位置に切替えることができ、テンションの調節にナットを使用しないため、工具を使わずテンションの調節ができる。
【００１４】
また、微調整と、緊張・弛緩の切替えの両方の操作を、テンション操作レバーと操作部材により、兼用して行うことができるので、２本の操作レバーを設ける必要がなくなったのである。また、従来技術の如く、ナットを使用しないため、調整に工具を使用する必要がない。
【００１５】
請求項２の如く、前記螺子パイプを支持板部より後側に突出させた部分に操作部材を設け、該操作部材は螺子パイプの軸心方向と直交する方向に設けた支持軸に支持し、前記操作部材の一端には支持軸を中心に前後方向に回転可能する円弧状部を設け、前記支持軸は前記円弧状部の中心線より前後にずらした位置に配置し、前記操作部材を支持軸を中心として前後に回動することにより、前記円弧状部の中心位置の前後に前記支持軸の位置が大きく移動され、前記螺子パイプと螺子軸を介して前記繰出しベルトの弛緩状態と緊張状態とを切り替え可能としたので、簡単に、緊張と弛緩の間のテンションの切替が行えるため、非使用時にテンションを弛めて保管するのが容易にできるようになったのである。
【００１６】
請求項３の如く、前記操作部材と螺子パイプと螺子軸により構成した、土繰出しベルトのテンション機構を、育苗箱の供給方向であって、前記土繰出しベルトの左右に配置したので、左右同じ位置に固定することができ、繰出しベルトの消耗を抑えることができ、左右均一な繰出し土量にする事ができるようになったのである。。
【００１７】
請求項４の如く、前記フレーム側板に前記従動軸が前後する長孔部を設け、該長孔部の近傍に前記従動軸の位置を示す目盛りを具備したので、左右の従動軸の位置が明確になり、調節しやすくなったのである。
【図面の簡単な説明】
【００１８】
【図１】育苗箱用の土供給装置を具備した育苗箱用播種機の全体斜視図。
【図２】育苗箱用の土供給装置の全体斜視図。
【図３】育苗箱用の土供給装置の側面図。
【図４】育苗箱用の土供給装置の後面図。
【図５】育苗箱用の土供給装置の平面図。
【図６】育苗箱用の土供給装置の側面構造模式図。
【図７】ベルトテンション機構の拡大模式図。
【図８】土繰出しベルトが緊張されロックされた状態のを示す側面図。
【図９】土繰出しベルトが弛緩した状態を示す側面図。
【発明を実施するための形態】
【００１９】
以下、本発明を実施するための形態について図面に基づき、育苗箱用播種機について説明する。
【００２０】
図１に示す育苗箱用播種機において、駆動レールＲの上に、水稲用の育苗箱用播種機を構成する各装置が載置固定されており、該駆動レールＲの上を、育苗箱がロールにより強制的に、移動方向Ｆの方向に搬送される間に、各装置の下を通過して、床土が供給されて、床土の表面が均されて、次に灌水されて、播種されて、覆土される。駆動レールＲは、搬送駆動ローラー１と、搬送従動ローラー２が、左右のレールの間に架設されて構成されている。
【００２１】
駆動レールＲにより構成された強制移送部には、育苗箱の搬送方向から順に、育苗箱搬送用の駆動部Ｈと、その搬送途中に育苗箱に床土を入れる床土供給装置Ａと、該床土供給装置Ａを通過後に、床土の表面を均す均平装置Ｅと、該床土の上面から灌水する灌水装置Ｄと、灌水後の床土上に規定量の水稲種籾を播種する播種装置Ｂと、播種後に上面から規定量の覆土を落とす覆土供給装置Ｃとが配置されている。前記床土供給装置Ａと覆土供給装置Ｃが本発明に係る土供給装置に関するものである。どちらの装置においても、土がホッパーから育苗箱に供給されるという点で、同様の構成を具備しているのである。
【００２２】
本発明は、床土供給装置Ａと覆土供給装置Ｃの両方に用いることが可能な装置を提供するものであるが、本実施例においては、床土供給装置Ａについてのみ説明する。覆土供給装置Ｃについても、同様の構成と効果を具備しているものである。
【００２３】
図２、図３、図４、図５において、育苗箱用の土供給装置である床土供給装置Ａは、上部に床土を供給する土供給ホッパー１８を配置しており、該土供給ホッパー１８の後面には、シャッター開閉操作機構１０を構成ており、該シャッター開閉操作機構１０を操作することにより、シャッターが上下に移動して、種子ホッパー１８から土繰出しベルト７の上への土を、育苗箱が搬送方向の後方に移動する際において、その上面を規制して、床土の搬出量を変更することを可能としている。
【００２４】
また、駆動レールＲからの動力の伝達を断接するクラッチレバー１３が配置されている。該クラッチレバー１３により、土繰出しベルト７の駆動力の断・接を行うことが可能である。更に、土繰出しベルト７を駆動する駆動軸１９がフレーム側板４Ｌ・４Ｒに軸受により支持されている。また、駆動軸１９の端部には、駆動ギヤ３０が固設され、該駆動ギヤ３０と噛合する動力取出ギヤ３１が支持されている。
【００２５】
前記駆動ギヤ３０と動力取出ギヤ３１の組み合わせを変更することにより、床土供給装置Ａの供給量の基本的な変更をすることも可能である。床土供給装置Ａは、上部に土供給ホッパー１８を設け、該土供給ホッパー１８の下方に、前記駆動ギヤ３０と駆動軸１９が配置されており、該駆動軸１９により駆動ローラー６が駆動される。
【００２６】
前記土供給ホッパー１８の下面には繰出しベルト７が架設されており、該土繰出しベルト７は、前記駆動ローラー６と従動ローラー５との間に掛け回しされており、従動ローラー５は従動軸２０によりフレーム側板４Ｌ・４Ｒの間に軸受２５により軸支持されている。該従動軸２０は、フレーム側板４Ｌ・４Ｒに開口された長孔部２８において軸受２５により軸受支持された状態で前後移動自在に構成されており、土繰出しベルト７の張り具合を調整するテンション機構Ｔを具備している。
【００２７】
前記床土供給装置Ａの土繰出しベルト７を駆動する動力は、前記駆動レールＲの搬送駆動ローラー１を駆動する駆動チェーンから、スプロケットを介して取りだしており、床土供給装置Ａの側部に配置したクラッチレバー１３により、土繰出しベルト７の駆動動力の断接を切り替えることができる。また、該駆動レールＲの駆動チェーンからの動力で、該土繰出しベルト７の駆動軸１９への回転数を変速する変速機構を設けることも可能である。
【００２８】
図６、図７、図８、図９において、育苗箱用の土供給装置の構成について詳細に説明する。前記テンション機構Ｔは、支持板部２６と螺子パイプ２２と螺子軸２１と、支持軸２４等により構成している。即ち、床土供給装置Ａの駆動軸１９と従動軸２０を、左右において支持するフレーム側板４Ｌ・４Ｒを基台として立設しており、更に該フレーム側板４Ｌ・４Ｒの前側に、支持板部２６を左右方向に向けて立設している。該支持板部２６には、螺子パイプ２２が通過可能な挿通孔２６ａを開口して構成している。該フレーム側板４Ｌ・４Ｒの支持板部２６の挿通孔２６ａより、螺子パイプ２２を突出させて、該後側に突出させた螺子パイプ２２の雌螺子部内に、更に前後移動する螺子軸２１を螺装している。該螺子軸２１の前端には、従動ローラー５の従動軸２０を、軸受支持する軸受２５を固設支持した構成としているのである。
【００２９】
前記従動ローラー５の従動軸２０は、該軸受２５により軸受支持されており、該軸受２５の位置を、螺子パイプ２２の回転により螺子軸２１を前後動させて微調整可能としている。また、螺子パイプ２２と螺子軸２１と軸受２５をそのままの位置関係で、前後に大きく移動することにより、弛緩と緊張の大きな切り換えを可能としている。即ち、該操作部材２３をテンション操作レバー２９により、螺子パイプ２２の軸心周りに、回転することをにより、螺子代の分だけ移動する微調整を可能としているのである。また、テンション操作レバー２９により操作部材２３を、螺子パイプ２２の支持軸２４を中心に上下に回動することにより、螺子パイプ２２と螺子軸２１と軸受２５を一体的に大きく移動して、緊張・弛緩の切替え操作を可能としているのである。
【００３０】
前記螺子パイプ２２が支持板部２６の挿通孔２６ａより、床土供給装置Ａの育苗箱の搬送方向の上流側に突出させた部分に、該螺子パイプ２２を回転操作するための操作部材２３とテンション操作レバー２９が付設されている。該操作部材２３は一端部を円弧状部２３ａとし、該円弧状部２３ａの中心線より前後にずらした位置に支持軸２４を軸支持し、該支持軸２４を介して螺子パイプ２２を支持している。この構成において、テンション操作レバー２９により操作部材２３を育苗箱の進行方向の前後の方向に回動することにより、円弧状部２３ａの中心線を介して、支持軸２４が育苗箱の前後方向に大きく位置を移動して、土繰出しベルト７の緊張・弛緩の切替えをするロック機構Ｌを構成具備させている。
【００３１】
また、従動ローラー５の従動軸２０を、螺子軸２１を設けた軸受２５により軸受支持する構成とし、前記フレーム側板４Ｌ・４Ｒにおいて、該従動軸２０が前後動する長孔部２８の上部に、従動軸２０の位置を示す目盛り２７を具備している。該螺子軸２１は、螺子パイプ２２を螺合させている。該螺子パイプは、支持板部２６の挿通孔２６ａより、育苗箱が搬送される方向の前側に突出させ、突出した螺子パイプ２２には、螺子パイプを回転させるための操作部材２３とテンション操作レバー２９が取りつけられているのである。該テンション機構Ｔと操作部材２３は、床土供給装置Ａにおいて、育苗箱の搬送方向の前側の左右に、一対が構成配置されている。
【００３２】
前記テンション機構Ｔは、テンション操作レバー２９により操作部材２３を螺子パイプ２２を中心に回転させることにより、螺子軸２１と螺子パイプ２２の間で、螺子が雄と雌の間で回転して、螺子軸２１と螺子パイプ２２の間隔を微調整する。従動ローラー５の従動軸２０を前後する長孔部２８の上部に、従動軸の位置がわかる目盛り２７が取付けられている。螺子パイプ２２を回転させるための操作部材２３は、上部を円弧状２３ａとし、円弧の中心線よりも、育苗箱の進行方向の前後に偏心した位置に螺子パイプの端部の支持軸２４を枢支する。
【００３３】
微調整後に、前記テンション操作レバー２９を操作部材２３の支持軸２４を中心に、前後螺子パイプ２２に設けた支持軸２４の周囲に半回転することにより、該支持軸２４が操作部材２３に対して偏心して支持されている分だけ、一気に軸受２５を前後に移動して、駆動ローラー６の位置を変更し、繰出しベルト７を緊張と弛緩に切り替えることができる。故に、テンション操作レバー２９による操作部材２３を螺子パイプ２２の軸心周りへの回転は、螺子軸２１と螺子パイプ２２との間で、距離を微調整するための操作である。逆に、テンション操作レバー２９を、支持軸２４を軸心として前後に回動する操作は、螺子軸２１に螺子パイプ２２の距離を、最初に設定した距離だけ、一気に大きく変更して、駆動ローラー６を移動させる、繰出しベルト７のための緊張・弛緩操作である。該操作部材２３の操作により、従動ローラー５の位置の微調整と、緊張・弛緩の切替えの両方を行うことができるように構成しているのである。
【００３４】
以上のように、水稲の育苗箱用播種機における育苗箱への床土供給装置Ａにおいて、該床土供給装置Ａは上部に土供給ホッパー１８を設け、該土供給ホッパー１８の下方に土繰出しベルト７を設け、該土繰出しベルト７は、駆動ローラー６と従動ローラー５との間に掛け回しされ、該従動ローラー５は従動軸２０によりフレーム側板４Ｌ・４Ｒに軸支持され、該従動軸２０は、フレーム側板４Ｌ・４Ｒの長孔に前後移動自在に構成し、土繰出しベルト７の張り具合を調整するテンション機構Ｔを具備し、前記テンション機構Ｔはフレーム側板４Ｌ・４Ｒ板の支持板部２６の挿通孔より後側に突出させた螺子パイプ２２内に前後移動する螺子軸２１に軸受２５を設けた機構とし、該螺子パイプ２２を、螺子パイプ２２の軸心周りに回転することにより、螺子軸２１と螺子パイプ２２の間で、従動軸２０の位置の微調整を可能とし、該螺子パイプ２２の軸心方向に直交する方向に軸支持した支持軸２４の周囲に、上下方向に回動することにより、螺子パイプ２２と螺子軸２１が同時に移動されて、従動軸２０の位置を、緊張位置と弛緩位置に切替え可能としているのである。
【００３５】
また、前記螺子パイプ２２が支持板部２６から突出した位置において、軸心と直交する方向の支持軸２４を設け、該支持軸２４に操作部材２３を軸受支持し、該操作部材２３により、螺子パイプ２２の軸心方向の回転を可能とし、この軸心方向の回転により従動軸２０の位置の微調整を可能としている。また、該操作部材２３を、前記螺子パイプ２２の支持軸２４を中心に、育苗箱の進行方向である前後方向に半回転することにより、該支持軸２４の位置を大きく移動させて、土繰出しベルト７の緊張と弛緩のための大きな調整を可能としているのである。
【００３６】
即ち、前記操作部材２３は、螺子パイプ２２の支持板部２６より後側に突出させた部分に螺子パイプ２２を回転させるために端部を円弧状２３ａとし、該支持軸２４を円弧状２３ａの中心線より左右にずらした位置に軸支持し、円弧状２３ａの中心位置の前後に、固定位置が左右に大きく移動して弛緩状態と緊張状態とを切り替えて固定するロック機構Ｌを具備したものある。
【００３７】
また、前記操作部材２３と螺子パイプ２２と螺子軸２１により構成した、土繰出しベルト７のテンション機構Ｔを、育苗箱の供給方向であって、土繰出しベルト７の左右に配置したものである。
【００３８】
また、前記フレーム側板４Ｌ・４Ｒに、従動軸が前後する長孔部２８を設け、該長孔部２８の近傍に、従動軸２０の位置を示す目盛り２７を具備したものである。
【符号の説明】
【００３９】
Ａ  床土供給装置
Ｂ  播種装置
Ｃ  覆土供給装置
Ｄ  灌水装置
Ｅ  均平装置
Ｆ  育苗箱の移動方向
Ｌ  ロック機構
Ｒ  駆動レール
Ｔ  テンション機構
Ｈ  レール駆動装置
１  搬送駆動ローラー
２  搬送従動ローラー
４  フレーム側板
５  従動ローラー
６  駆動ローラー
７  土繰出しベルト
１０  シャッター開閉操作機構
１３  クラッチレバー
１８  床土供給ホッパー
１９  駆動軸
２０  従動軸
２１  螺子軸
２２  螺子パイプ
２３  操作部材
２３ａ  円弧状部
２４  支持軸
２５  軸受
２６  支持板部
２６ａ  挿通孔
２７  目盛り
２８  長孔部
２９  テンション操作レバー
３０  駆動ギヤ
３１  動力取出ギヤ
【図１】
0006631879.tif 000002
【図２】
0006631879.tif 000003
【図３】
0006631879.tif 000004
【図４】
0006631879.tif 000005
【図５】
0006631879.tif 000006
【図６】
0006631879.tif 000007
【図７】
0006631879.tif 000008
【図８】
0006631879.tif 000009
【図９】
0006631879.tif 000010